Podtech/llm-jp-corpus-v4-ja_patent huggingface dataset:
(57)【要約】【課題】  雨合羽ズボンを使用後、脱いだり、着用するとき、雨合羽ズボンの内に履いているズボンを汚さないようにした二重裾雨合羽ズボンを提供する。【解決手段】  雨合羽ズボン部分裾（１）を二重し、雨合羽ズボン裾（２）を設けたことを特徴とする。【選択図】図２
2011162932.tif 000002
【特許請求の範囲】
【請求項１】
ズボンの裾部（１）を二重にした雨合羽ズボンである。
【発明の詳細な説明】
【発明の詳細な説明】
【技術分野】
【０００１】  この発明は、一重の雨合羽ズボンの裾を二重にした二重裾雨合羽ズボンである。
【背景技術】
【０００２】  従来の雨合羽ズボンの裾の形状は、一重裾だった。
【発明が解決しようとする課題】
【０００３】  これは次のような欠点があった。
（イ）ぬかるみ等に、はまった後（Ａ）に泥等が入り込み、雨合羽ズボンを脱ぐ時、先にゴム長靴をぬぐと、ズボン（Ｂ）を汚す。
裾部内側に付着した泥等は、洗い流すのが困難なため、次に着用するとき（Ｂ）を汚す。
そのため、雨合羽ズボンの裾をゴム長靴等の内に入れると、靴の中が濡れてしまう。
本発明は、これらの欠点を除くためになされたものである。
【課題を解決するための手段】
【０００４】  雨合羽ズボンの裾部（１）の内側（又は外側）に、裾部（２）をもうける。
本発明は、以上のような構成によりなる二重裾の雨合羽ズボンである。
【発明を実施するための形態】
【０００５】  以下、本発明の実施の形態について説明する。
雨合羽ズボンの裾部（１）を二重にする。
本発明は以上のような構造で、これを着用するときは、裾内側部（２）をゴム長靴等（３）の内に入れて着用する。
【発明の効果】
【０００６】  雨合羽ズボンの裾が二重なので、雨合羽ズボンを脱ぐとき、先にゴム長靴を脱いでも、ズボン（Ｂ）部分を汚すことがなくなった。
（Ａ）に入り込んだ泥等を安易に水等で、洗い流すことができる。
（２）をゴム長靴等の内に入れても、靴の中が濡れることが無い。
【図面の簡単な説明】
【図１】従来の雨合羽ズボンを着用したときの断面図である。
【図２】本発明の雨合羽ズボンを着用したときの断面図である。
【符号の説明】１  雨合羽ズボンの裾部
２  内側となる雨合羽ズボンの裾部
３  ゴム長靴等
Ａ  従来の雨合羽ズボンの裾と、ゴム長靴との間、本発明では、外側となる雨合羽ズボンの裾と、ゴム長靴との間。
Ｂ  雨合羽ズボン以外のズボン（普段着用するズボンや、作業着等）。
【図１】
2011162932.tif 000003
【図２】
2011162932.tif 000004
(57)【要約】【課題】ブラジャーやスリップ等着用の際、多くの人が経験するブラジャー等の肩紐が次第にずれて来、肩から滑り落ちる事が多く、それを防止する「肩紐の滑り落ち防止ストッパー」の提供【解決の手段】肩ひもの、肩の上トップにあたる部分に挟んで使用する、ひもをしっかりと挟む部分（Ａ）防止するストッパーにもなるようなクッション部分（Ｂ）からなる肩紐滑り落ち防止器具【選択図】図１
2011162934.tif 000002
【特許請求の範囲】
【請求項１】
肩紐に取り付けて、肩紐の滑り落ちを防止する器具で、紐に挟む時、紐上になる分は平らで、肌にあたる部分は肌に優しいクッションになるものを用いると良い。
【発明の詳細な説明】
【技術分野】
【０００１】ブラジャーやスリップ、衣類の滑り落ちやすい肩紐を、肩から滑り落ち擦ることを防止するストッパーの提供
【発明の概要】
【発明が解決しようとする課題】
【０００２】スリップやブラジャー、キャミソール等、肩紐を用いてで支えている衣類に関し、その肩紐が肩から滑り落ちるということが多く、気持ちが悪い思いをする人は多く、このような肩紐滑り落ちを防止する部品の提供を課題にしている
【課題を解決するための手段】
【０００３】肩のトップにあたる部分の肩紐に取り付け、肩紐にしっかりと挟みこむ部分（Ａ）と、すべらないようにストッパーとなり、また肌を傷めないクッションの役目をする部分（Ｂ）からなる器具の提供
【発明の効果】
【０００４】ブラジャー等の紐にこの器具を取り付けることにより、肩ひもの滑り落ちを完全に防止し、外出先などでの不快感を防ぐことが出来る
【発明を実施するための形態】
【０００５】挟む部分はプラスチックで十分ですが、それに取り付けている肌にあたる部分のクッション部分は長時間の使用でも、肩からバッグを提げても肌に優しく違和感の生じない柔らかいゴムや樹脂を使用する。
本品は透明のものにしたり、おしゃれに紐に合わせカラーのものと自在に出来る。また、クッション部分にやや傾斜をつければなお滑り落ちにくい。
【図面の簡単な説明】
【０００６】
【図１】斜視図
【図２】断面図
【図３】使用例
【図１】
2011162934.tif 000003
【図２】
2011162934.tif 000004
【図３】
2011162934.tif 000005
(57)【要約】      （修正有）【課題】全ての道着（衣）（空手着、拳法着、柔道着）は汗をかくとズボンの生地と肌（太ももから膝）が密着してスベリが悪くなり早い動作を妨げる。【解決手段】解決策として、道着１のズボンと肌の密着を防止させる為、前身頃裏地（ストレッチ素材の網目）２を付け、スベリを良くした。【選択図】図−１
2011162935.tif 000002
【特許請求の範囲】
【請求項１】
ズボンの前見頃部分にすべり易い裏地をつける事を特徴とする道着（衣）
【請求項２】
全ての道着（衣）（空手着、柔道着、拳法着）ズボンの裏地に網目状の生地（図−１参照）を付ける事により裏地と肌との密着を防止する道着（衣）
【発明の詳細な説明】
【技術分野】
【００１】この発明は、空手着（衣）ズボンの裏地前見頃にストレッチ網目（メッシュ）をつける。
網目付きズボン裏地に関するもの。
【背景技術】
【００２】従来の空手着（衣）ズボンには、裏地もなく網目も付いていない。
【特許文献】
【００３】従来文献として特開２００４−２８５５２７があります。
この特許文献は、
（１）空手において蹴り等の寮脚に関わる激しい動作を妨げない更なる自由な足さばきにも適した空手のズボンを提供する。
（２）空手においては、四股を大きく動かす動作が不可避である、そこで図−５で示す様な左右の見頃とは別に股部及び大腿部に別布を股部生地片９及び脚部生地片１０として設け、衣服が動作に支障をきたさない様な設計の空手着のズボンが用いられてきたもので前見頃には裏地については何ら記載されていない。
2011162935.tif 000003
【発明の概要】
【００４】道着（衣）ズボンの動作をさまたげない（汗をかいた時、生地と肌と密着させない）
【００５】従来例の様に両脚に関わる激しい動作や四股を大きく動かす動作して衣服が動作に支障をきたさない様な設計や構造になっているが、汗をかくとズボンが濡れて生地と肌とが、密着してまとわりつきスベリが悪くなって動作を妨げる。
【発明が解決しようとする課題】
【００６】次の様な欠点があった
従来は汗をかいて中腰になる時、又なった時、太ももから膝にかけてズボンの生地と密着してまとわりついて、スベリが悪くなり早い動作を妨げる。
空手の形は、中腰が多い為、本発明は、以上の様な欠点を無くす為になされたものである。
【課題を解決する為の手段】
【００７】空手着（衣）ズボンの上から下まで、前見頃裏側に裏地（すべりやすいストレッチ網目）をつける。
【００８】空手着（衣）ズボンの裏地に膝の部分だけ、ストレッチ網目にすると、縫い目が厚くなる為、図−１の様にズボンの上から下まで、前見頃部分だけ裏地ストレッチ網目にする。
【発明の効果】
【００９】  汗をかいても（特に夏）ズボンの裏地と太ももから膝が密着しない為すべりが良く安定したスムーズな早い動作だけではなく、きれのある高度な技と綺麗さが出る。
ジャージ等とは違った、きれのある高度な技と綺麗さを見せるのが条件としている。
【図面の簡単な説明】
【００１０】図−１    ▲１▼現状道着（衣）の生地
図−１    ▲２▼本案ズボンの裏地
図−１    （Ａ）ズボンを前から見た図
図−１    （Ｂ）ズボンを後ろから見た図
図−１    （Ｃ）ズボンを横から見た図
図−２    中腰になった時の立ち方
【発明を実施する為の形態】
【００１１】空手着（衣）ズボンの上から下まで、前見頃裏側にストレッチ素材のメッシュの裏地をつける、（図−１参照）裏地は全ての生地に適応する。
【００１２】他の適応例として、柔道着ズボン、拳法着ズボンにも適用可能する。
【符号の説明】
【００１３】図面に対する番号‥‥図−１
▲１▼‥‥従来は、道着（衣）ズボンの生地（綿が主にポリエステル、ライクラ（ポリウレタン（弾性繊維）ヘリンボン織、レーヨン等）色々な生地が混ざって使用されている。
▲２▼‥‥本案は、網目状の裏地の生地を、ポリエステル、キヌ等すべりやすい素材のメッシュが最適。
【図−１】
2011162935.tif 000004
【図−２】
2011162935.tif 000005
【手続補正書】
【提出日】平成22年5月21日(2010.5.21)
【手続補正２】
【補正対象書類名】明細書
【補正対象項目名】００１０
【補正方法】変更
【補正の内容】
【００１０】
【図−１】▲１▼現状道着（衣）の生地  ▲２▼本案ズボンの裏地  （Ａ）ズボンを前から見た図  （Ｂ）ズボンを後ろから見た図  （Ｃ）ズボンを横から見た図
【図−２】中腰になった時の立ち方
(57)【要約】【課題】生ごみの水分を減少する為の、絞り穴、突起部を設けた生ごみ等の水切り容器、三角コーナーを提供する。【解決手段】（イ）生ごみ等の水切り容器、三角コーナーの側面の一部に、絞り穴を設ける。（ロ）生ごみ等の水切り容器、三角コーナーの底部に突起部を設ける。【選択図】図１
2011162350.tif 000002
【特許請求の範囲】
【請求項１】
台所の洗い場に設置する生ごみを受ける生ごみ等の水切り容器及び三角コーナー等の生ゴミを集め収納する器具の一部に生ごみの水分を絞る絞り穴を設けた生ごみ等の水切り容器。
【請求項２】
台所の洗い場に設置する生ごみを受ける生ごみ等の水切り容器及び三角コーナー等の生ゴミを集め収納する器具の底部に突起部を設けた生ごみ等の水切り容器。
【請求項３】
台所の洗い場に設置する生ごみを受ける排水ごみ受け及び三角コーナー等の生ゴミを集め収納する器具の一部に生ごみの水分を絞る絞り穴を及び底部に突起部を設けた生ごみ等の水切り容器。
【発明の詳細な説明】
【技術分野】
【０００１】  本発明は、台所の洗い場に設置した生ごみを受ける生ごみ等の水切り容器、三角コーナー等の生ごみを集め収納する器具に生ごみの水分を絞る機能を設けた生ごみ等の水切り容器に関するものである。
【背景技術】
【０００２】  従来、生ごみ受け容器は、単に生ごみを受けて廃棄するためだけで、水分を絞るには直接手で触れて絞る、重石を乗せる、抑える器具で絞る等の器具を使用しての水分除去しかなく、生ごみ受けに水分を除去する機能はなかった。そのために水分を一般的には７０〜８０％含んだ状態で廃棄され廃棄物の増加また焼却に際しては多量の重油、石炭等の燃料を使用し温暖化の一因となっていた。
水切り容器は、特許公開２００８−１４３７０３、特許公開２００７−２０４２３３に見られるように台所のシンク内での場所を取らない、生ゴミを袋に包んで衛生的に保管する。また生ごみの水分を減少する為には、特許公開２００６−２８２３８８に見られるように容器の底部に突起をつけたものがあるが生ごみを長時間容器に保管する時は効果が認められるが通常、食器或いは食品を洗浄して極めて短い時間に処理する為、突起だけではより大きな効果が期待できない。特許公開２００６−７２９０には水分の絞り効果を出す為に生ごみ圧縮器があるが場所が狭いところでの使用で保管場所を取る、また圧縮器に生ごみが付着し衛生的に問題があった。また特許公開２００５−１６２４０４にも押さえ蓋で水分を絞る方法が提案されているが同様の問題があった。
【発明の開示】
【発明が解決しょうとする課題】
【０００３】  そのために次のような問題点があった。
（イ）生ごみを直接手で絞るのは、衛生的でなく抵抗があり殆ど実施されていない。
（ロ）圧縮器で絞る、押さえ蓋で絞る、重石を乗せる等の絞る方法は、狭い台所、流し場には置場がなくまた非衛生的である。
【課題を解決するための手段】
【０００４】（イ）生ごみ等水切り容器の側面の一部に、絞り穴を設けネット状の生ごみ袋の上端を通し引っ張ることで絞る機能を設ける。また三角コーナーにも同様の絞り穴を設ける。
（ロ）生ごみ等の水切り容器、三角コーナーの底部に突起部を設けネット状の生ごみ袋の底部が圧迫され水分の絞り効果を増長する。
（ハ）（イ）、（ロ）に記載の絞り穴、底辺の突起部を両方備えた生ごみ等の水切り容器及び三角コーナー。
【発明の効果】
【０００５】（イ）地球温暖化防止が叫ばれ生ごみの減量化は毎日のことであり個々の家庭での小さい減量が大きな効果となる。特に生ごみの７０〜８０％は水分であり簡単に衛生的に絞ることで大きな効果につながる。特に現在焼却処理が多く、重油、石炭の節減となる。
例えば、５０，０００世帯の市の場合、１０〜１５ｇの水分を各家庭で絞れば年間２００トンの減量となり、全量焼却とすれば重油約１０トンの節減となる。
（重油発熱量  ４３メガジュール／ｋｇとして）
（ロ）ネット状の生ごみ袋の上端を絞り穴に通して引っ張るだけなので直接生ごみに手を触れることなく衛生的であり一般に普及しやすい。また台所の流し場に新たにスペースはとることはなく通常の作業の弊害にならない。
（ハ）生ごみ等の水切り容器、三角ネットの底部の突起が生ごみを圧迫し放置するだけで水分が除去できる。また前記（ロ）と併用することで更に効果は増幅される。
【発明を実施するための最良の形態】
【０００６】以下本発明の実施の形態について説明する。
（イ）流し場の中央付近に通常設置する生ごみ等の水切り容器（１）の一部にごみ受けネット袋の上部を通して絞る絞り穴（２）を設置する。
（ロ）流し場のコーナーに通常設置する三角コーナー（３）の一部にごみ受けネットの上部を通して絞る絞り穴（４）を設置する。
（ハ）前期（イ）、（ロ）に記載した生ごみ等の水切り容器（１）、三角コーナー（３）の底部に突起部（５）を設ける。
（ニ）絞り穴（２）、（４）及び突起部（５）は生ごみ等の水切り容器（１）、三角コーナー（３）に一緒に設置してもよく別に設置しても良い。
本発明は以上のような構成でこれを使用するときは、生ごみを受けて廃棄する前に絞り穴にごみ受けネットの上部を通し引っ張ることで生ごみの水分が絞られる。また突起部を設けたものは生ごみの重さで圧迫され水分を絞る事が出来る。更に絞り穴と両方使用することで更に効果は加わる。
【図面の簡単な説明】
【０００７】
【図１】本発明の生ごみ等の水切り容器の側面図
【図２】本発明の三角コーナーの側面図
【図３】本発明の生ごみ等の水切り容器の断面図
【符号の説明】
【０００８】    １    生ごみ等の水切り容器
２    絞り穴
３    三角コーナー
４    絞り穴
５    突起部
【図１】
2011162350.tif 000003
【図２】
2011162350.tif 000004
【図３】
2011162350.tif 000005
(57)【要約】      （修正有）【課題】本考案は、液体または固体を入れる容器に関するものである。従来は、一端より取出口があったが、２種類の違う物質または量を封入する容器は無い。具体的な例として、身体が老齢化し、薬を欠かさない日常がある。仕事柄、出張をする事が多く、外食も多い。薬も飲まないといけないが、コーヒーも飲みたいといった場合２本購入する必要がある。【解決手段】これらの２本の飲料が１体化していると非常に便利である。1方の容器に水が入り、他方の容器にコーヒーが入り、コレを接合することで1体化する。【選択図】図２
2011162204.tif 000002
【特許請求の範囲】
【請求項１】
両端に取出口を持つ容器
【請求項２】
容器の取出口が両端（外側）を向くように２つの容器を組み合わせたことを特徴とする取出口容器
【発明の詳細な説明】
【先行技術文献】
【非特許文献】
【０００１】
【非特許文献１】非特許文献ｎ
【図面の簡単な説明】
【０００２】
【図１】両端に取出口を持つ容器（ A, B ）を示した説明図である。（プルタブ／接着型）
【図２】両端に取出口を持つ容器（ C, D ）を示した説明図である。（プルタブ／ジョイント型）
【図３】両端に取出口を持つ容器（ E, F  ）を示した説明図である。（ねじ込みキャップ／ジョイント型）
【符号の説明】
【０００３】
１    容器Aのプルタブ
２    容器A
３    接着
４    容器B
５    容器Bのプルタブ
６    容器Cのプルタブ
７    容器C
８    容器CとDのジョイント部
９    容器D
１０    容器Dのプルタブ
１１    容器Eのネジキャップ
１２    容器E
１３    容器EとFのねじ込みジョイント部
１４    容器F
１５    容器Fのネジキャップ
【図１】
2011162204.tif 000003
【図２】
2011162204.tif 000004
【図３】
2011162204.tif 000005
(57)【要約】      （修正有）【課題】液体または固体を入れる容器に関するものである。従来は、一端より取出口があったが、２種類の違う物質または量を封入する容器は無い。具体的な例として、身体が老齢化し、薬を欠かさない日常がある。仕事柄、出張をする事が多く、外食も多い。薬も飲まないといけないが、コーヒーも飲みたいといった場合２本購入する必要がある。【解決手段】これらの２本の飲料が一体化していると非常に便利である。一方の容器２に水が入り、他方の容器４にコーヒーが入り、コレを接合することで1体化する。利点としては、１．持ち運びが簡単である。２．違う流体および固体を２種類一緒に移動できる。３．一定量の物を封入または取り出すことができる。【選択図】図１
2011162209.tif 000002
【特許請求の範囲】
【請求項１】
両端に取出口を持つ容器
【請求項２】
容器の取出口が両端（外側）を向くように２つの容器を組み合わせたことを特徴とする取出口容器
【発明の詳細な説明】
【先行技術文献】
【非特許文献】
【０００１】
【非特許文献１】非特許文献ｎ
【図面の簡単な説明】
【０００２】
【図１】両端に取出口を持つ容器（  ２, ４ ）を示した説明図である。（中間薄板鋼板／溶接型）
【符号の説明】
【０００３】
１    容器２のキャップ
２    容器２
３    中間薄板鋼板／周溶接タイプ
４    容器４
５    容器４のキャップ
【図１】
2011162209.tif 000003
(57)【要約】      （修正有）【課題】一升瓶の蓋を、容易に抜き差しすることができる栓の抜き差し具を提供する。【解決手段】天板１と押さえ部品４は接合され、又、穴あき円盤状フランジ２と円筒状ハウジング５も接合されており、コイルバネ３を介し、一升瓶の蓋の上段部６の厚みにより、接合された天板１と押さえ部品４が上下し、コイルバネ３の付勢効果で押さえ部品を下方向に加圧し、保持部１０１とで挟み込み、しっかり保持できる。栓をする時は、天板１を上から押さえることで、連動する押さえ部品４が一升瓶の蓋を上から押し、一升瓶の瓶口８の上端まで一升瓶の蓋の中段部７が密着するよう圧する。【選択図】図６
2011162260.tif 000002
【特許請求の範囲】
【請求項１】
コイルバネ（３）と押さえ部品（４）を縦方向に内設した円筒状ハウジング（５）に、前記コイルバネ（３）の弾力を受ける穴あき円盤状フランジ（２）を固設し、前記押さえ部品（４）と連結する天板（１）を備え、一升瓶の蓋を容易に抜き差しできることを特徴とする、瓶の栓の抜き差し具。
【発明の詳細な説明】
【技術分野】
【０００１】  本発明は、一升瓶の栓を抜き差しする器具に関するものである。
【背景技術】
【０００２】  従来は、ビール等の栓抜きの様に梃子作用で抜くものがある（下記特許文献１）。
【先行技術文献】
【特許文献】
【０００３】
【特許文献１】特開平１１−１５７５９７号
【発明の概要】
【発明が解決しようとする課題】
【０００４】  しかしながら、上記特許文献１に記載された差込栓用栓抜きでは、梃子の原理で栓を抜くものであるが、一升瓶の蓋にあっては、コルクやプラスティックなどで円筒形に形成され、瓶口の内壁に密接する部分が長いために抜き難いのである。抜けたとしても、栓を抜こうとする動作中に、栓抜きの支点が差込栓に引っ掛かる為、抜けた後、保持できないという問題があった。【０００５】  本発明は、上記従来の問題点に鑑みて、栓を抜いた後も他所へ飛散せず、その器具内にしっかり保持でき、そのまま栓をすることが可能な栓の抜き差し具を提供することを目的とする。
【課題を解決するための手段】
【０００６】  円筒状のハウジング（５）内に、穴あき円盤状フランジ（２）と、その上層面の天板（１）とがコイルバネ（３）を介して押さえ部品（４）と接合形成されることを特徴とする栓の抜き差し具。
【発明の効果】
【０００７】  本発明の器具は、一升瓶の蓋を衛生的、且つ容易に抜き差しするものであるから、持ち難い一升瓶の蓋を素手で取り、その反動で床に落としてしまったり、蓋の、瓶口の内壁に接する部分に手が触れることがないだけでなく、度々栓を抜き差しする必要がある一升瓶に装着したままにしておけるのである。
【図面の簡単な説明】
【０００８】
【図１】  本発明を下から見上げた状態を示す斜視図
【図２】  本発明の分解斜視図
【図３】  本発明の縦断面図
【図４】  本発明の作動状態を示す縦断面図
【図５】  栓に装着した本発明を下から見た状態を示す平面図
【図６】  一升瓶に本発明品を装着した状態を示す縦断面図
【図７】  一升瓶に本発明品を装着した状態を示す正面図
【発明を実施するための形態】
【０００９】  本発明の実施の形態について、図を参照しつつ詳細に説明する。
【００１０】  図２において、押さえ部品（４）とは、逆きのこ形状を呈しており、上の円筒部はコイルバネ（３）に挿入し得る形状を有し、図における底辺の台状部位は、一升瓶の蓋（１０４）の上段部（６）と密接する形状のものである。
【００１１】  本発明抜き差し具の下部つば状保持部（１０１）は、円周の一部が開口形成されており（図５参照）、この部分を一升瓶の蓋と瓶口先との間にすべり込ませ、一升瓶の蓋を本発明で覆うようにし、下方から保持する形になる。
【００１２】  前記の保持部（１０１）は図５に示すように、保持部の内縁（１０２）が、一升瓶の蓋の中段部（７）に嵌合する形状になっている。
【００１３】  図７は、本発明の使用状態を示したもので、本発明の円筒状ハウジング（５）下部の、保持部（１０１）が、一升瓶の蓋の中段部（７）を、栓を抜いた時に落下しないよう保持する形状になっている。
【００１４】  図６は、本発明を一升瓶の蓋に装着した状態だが、天板（１）と押さえ部品（４）は接合され、又、穴あき円盤状フランジ（２）と円筒状ハウジング（５）も接合されており、コイルバネ（３）を介し、一升瓶の蓋の上段部（６）の厚みにより、接合された天板（１）と押さえ部品（４）が上下し、コイルバネ（３）の付勢効果で押さえ部品を下方向に加圧し、保持部（１０１）とで挟み込み、しっかり保持できる。栓をする時は、天板（１）を上から押さえることで、連動する押さえ部品（４）が一升瓶の蓋を上から押し、一升瓶の瓶口（８）の上端まで一升瓶の蓋の中段部（７）が密着するよう圧する。
【００１５】  図３に示すように、押さえ部品（４）の断面形状は、台状の下部（１０３）が、一升瓶の蓋の上段部（６）が、本発明の保持部（１０１）から円筒状ハウジング（５）に入り易いように、テーパー形状になっている。
【００１６】  図４は、本発明の作動状態を表しているものだが、コイルバネ（３）が収縮した状態であり、押さえ部品（４）と保持部（１０１）とが一升瓶の蓋の上段部（６）を圧接し、本発明を一升瓶の蓋に付けたままの状態で置いても何ら問題が無いことを指し示している。
【００１７】  本発明を構成する各部の材質は、金属、あるいは硬質性合成樹脂とし、コイルバネに代わり蛇腹式の弾質性を持ったものでも良く、天板の厚みも、握り易くする為に円筒状に厚くしても良く、またハウジングの形状についても特に限定しない。
また、本発明を一升瓶の蓋（１０４）に挟み込むために必要な、保持部（１０１）の開口について、図５に示すように、円周の一部を開口する方法ばかりではなく、対向する円周にも対称に設けて２ヶ所とすることや、あるいは３ヶ所以上円周上に開口部位を設けることも考えられる。
さらに、天板（１）上には、動物や人物像、キャラクターなどを象った装飾物を形成することも可能である。
本発明の他の実施例として、円筒状ハウジング（５）と対になる押さえ部品（４）の天面に位置する天板（１）を球状に形成し（図示せず）、円筒＋球の組合せにて本発明を構成してもよい。
【符号の説明】
【００１８】  １        天板
２        穴あき円盤状フランジ
３        コイルバネ
４        押さえ部品
５        円筒状ハウジング
６        上段部
７        中段部
８        一升瓶の瓶口
１０１    保持部
１０２    保持部の内縁
１０３    台状の下部
１０４    一升瓶の蓋
【図１】
2011162260.tif 000003
【図２】
2011162260.tif 000004
【図３】
2011162260.tif 000005
【図４】
2011162260.tif 000006
【図５】
2011162260.tif 000007
【図６】
2011162260.tif 000008
【図７】
2011162260.tif 000009
(57)【要約】【課題】刺身用冷凍鮪切り身（サク）は、加工時の鋸クズが付着したまま剥き出しの状態で発泡容器に収められ最終使用者に納品される場合がほとんどだが、使用や喫食には汚れ除去のための洗浄でマイナス５０度以下の切り身に触れたり、大量の塩を必要とするなどの面倒な解凍作業が必要だった。また生食用にもかかわらず剥き出し状態のため、さらなる細菌汚染や細菌増殖の可能性が高かった。【解決手段】予め洗浄した刺身用冷凍鮪切り身（サク）と、解凍に適した海水と同程度の塩分濃度を有した氷を同封し脱気封印する。氷の塩分濃度は３．３〜３．７％としておく。【選択図】図１
2011162263.tif 000002
【特許請求の範囲】
【請求項１】
予め洗浄した刺身用冷凍鮪切り身（サク）と、海水と同程度の３．３〜３．７％の塩分濃度を有した氷を同封し脱気封印することを特徴とする包装技術
【請求項２】
前記塩水氷の塩分濃度は海水と同程度の３．３〜３．７％であることを特徴とする請求項１記載の包装技術が施された刺身用冷凍鮪切り身（サク）。
【発明の詳細な説明】
【技術分野】
【０００１】  この発明は、刺身用冷凍鮪切り身（サク）の出荷販売における商品の包装技術に関する。
【背景技術】
【０００２】  従来刺身用冷凍鮪切り身（サク）の販売における商品の荷姿は、加工時の鋸クズが付着したまま発泡容器などに剥き出しの状態で収められ流通されている。一方、解凍方法については高度な技術が乱立し過ぎて、平易な手順の普及を妨げており業界は一種自縛状態にある。
【特許文献】
【０００３】
【特許文献１】特許第３０１７２２９号（Ｐ３０１７２２９）
【０００４】
【特許文献２】特開平０６−３２７３９８
【発明の概要】
【発明が解決しようとする課題】
【０００５】  現状では、最終使用者は使用や喫食に際し洗浄のためマイナス５０度以下の切り身に触れたり、大量の塩を必要とするなどの解凍作業が面倒である。また技術的に優れた装置やその設置場所など、最終使用者の中でも特に一般消費者が有する設備環境には馴染まない。その結果、洗浄が不十分であったり細菌による汚染やその増殖が可能な状態が長時間に及ぶため、販売者が推奨する安心安全な品質が得られない場合が多い。
そこで、この発明は、面倒な解凍作業の大部分が省略できる荷姿での包装と商品を提供することを課題とする。
【課題を解決するための手段】
【０００６】  以上の課題を解決するために、第一発明は、予め洗浄した刺身用冷凍鮪切り身（サク）と解凍に適した海水と同程度の３．３〜３．７％の塩分濃度を有した氷を同封し、脱気封印することを特徴とする包装技術である。
また、第二発明は、第一発明の包装技術を施した刺身用冷凍鮪切り身（サク）である。
【発明の効果】
【０００７】  第一発明、または第二発明によれば、最終使用者は当該商品を包装状態のまま必要時間お湯に浸すだけで、安心安全な品質確保に必要な解凍作業が容易に完了できる。
【図面の簡単な説明】
【０００８】
【図１】この発明の一実施形態を示す斜視図である。
【図２】従来技術を示す斜視図である。
【発明を実施するための形態】
【０００９】  この発明の一実施形態を、図１に示す。
通常鮪切り身（サク）は１００ｇ〜３００ｇあり、一袋１に切り身（サク）２は１個が原則であり、この本体２とともに塩水氷３を、２と同重量程度入れ脱気封印している。この塩水氷３の塩分濃度は解凍に適した海水と同程度の３．３〜３．７％としてある。
【００１０】「実施形態の効果」
この実施形態によれば、最終使用者は入手容易な３５〜４０度のお湯に当該商品を１０分〜１５分程度浸すだけで、刺身用冷凍鮪切り身（サク）の解凍作業でもっとも重要な工程を容易に完了することが出来、美味しく衛生的にも安心安全な品質を確保出来る。
「他の実施形態」
真空包装機とさらに丈夫な材質のビニール袋がある場合は真空包装でも良い。
【符号の説明】
【００１１】１  ビニール袋        ２  刺身用冷凍鮪切り身（サク）
３  塩水氷            ４  脱気封印（シール）痕          ５  発泡容器
【図１】
2011162263.tif 000003
【図２】
2011162263.tif 000004
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
予め洗浄した刺身用冷凍鮪のサクと、海水と同程度の３．３〜３．７％の塩分濃度を有した氷とをビニール袋に同封し、脱気封印することを特徴とする刺身用冷凍鮪サクの包装体の製造方法。
【請求項２】
請求項１記載の製造方法により得られる刺身用冷凍鮪のサクの包装体。
(57)【要約】      （修正有）【課題】建築資材に粒を付着させて凸形状を施すことにより、転倒防止対策となり、塗装作業の際の作業性が高く、美観を損ねない塗料、及びその塗料を塗布した建築資材を提供する。【解決手段】発泡炭化珪素を混入した塗料を鉄、タイル、コンクリート、木部等の建築資材に塗布することで、発泡炭化珪素の粒による凸凹が形成され、建築資材上を歩行する時に滑りにくくすることができる。また、塗料を、混入する発泡炭化珪素と同色に予め調色しておくことで塗装表面の美観をも向上することができる。【選択図】図１
2011162758.tif 000002
【特許請求の範囲】
【請求項１】
塗料中に発泡炭化珪素を混入したことを特徴とする塗料。
【請求項２】
混入した発泡炭化珪素と同色に調色したことを特徴とする請求項１の塗料。
【請求項３】
請求項１もしくは請求項２の塗料により表面塗膜を形成させたことを特徴とする建築資材。
【発明の詳細な説明】
【技術分野】
【０００１】  この発明は、塗膜に凹凸をつける塗料とその塗料により表面塗膜を形成した建築資材に関する。
【背景技術】
【０００２】  雨等の水で濡れた鉄、タイル、コンクリート、木部の上を歩くと滑り易く危険である。そこで従来は、鉄、タイル、コンクリート、木部等の通路となりうる建築資材に粒を付着させて建築資材表面に凹凸を施すことにより転倒防止対策になるように、砂、炭化珪素、シリカゲルや木炭などを混入した塗料を建築資材に塗布することが行われてきた。
【発明の開示】
【発明が解決しようとする課題】
【０００３】  しかしながら、砂や炭化珪素は比重が大きく塗料に混入させてから塗布する際には沈殿し易く、均一に塗布することが容易でない。また、その欠点を解決するために比重が比較的小さいシリカゲルや木炭などを混入物として混ぜることも試されたが、シリカゲルや木炭は機械的強度が低く、塗装表面を踏みつけたときに簡単に破壊し、塗膜が長期間維持できないという欠点があった。また、混入物と塗料の色が違う場合は混入物の色が塗装表面に透けて現われることがあり、塗装表面の美観を損ねてしまうという欠点もあった。【０００４】  そこで、この発明は、混入物の沈殿が遅く塗布作業の作業性を高めつつ、塗装表面を歩いても塗膜が長期間維持される塗料およびその塗料を塗布した建築資材を提供することを課題とする。また、その際に混入物の色が塗装表面の美観を損ねないことも課題とするものである。
【課題を解決するための手段】
【０００５】  以上の課題を解決するために、本発明は、機械的強度の高い炭化珪素を混入物の物質として使用する。また、炭化珪素は混入前に予め発泡させておく。発泡させた炭化珪素は比重が１前後となり、従来の塗料に比重が近くなった発泡炭化珪素を塗料に混入させ、建築資材に塗布する。また、発泡炭化珪素を混入させる前の塗料を発泡炭化珪素と同じ色に予め調色しておき、その後に発泡炭化珪素を混入することで、塗装表面の色を均一にし、塗装表面の美観を向上させる。
【発明の効果】
【０００６】  本発明によれば、発泡炭化珪素はその比重が塗料溶液に近い値を示す。そのため発泡炭化珪素を塗料に混入させた場合、塗料溶液中の発泡炭化珪素の沈殿が遅く、発泡炭化珪素は塗料溶液中において良好な分散状態を長時間保つことができる。その結果、発泡炭化珪素を均一に塗布する塗装作業の作業効率が高くなる。また、本発明の塗料を建築資材に塗布することにより、建築資材の塗装表面に凹凸が生じ、滑りにくく危険の少ない建築資材を提供することができる。さらに、発泡炭化珪素と塗料が同じ色であるため、塗装表面の美観も向上する。
【発明を実施するための最良の形態】
【０００７】  本発明の一実施形態を、次に示す。まず従来の塗料に発泡炭化珪素を混入させる。混入する発泡炭化珪素の比重は０．７〜１．３グラム毎立方センチメートルで、形状は直径０．３〜１．２ミリメートル前後の粒状である。塗料の固形分中発砲炭化珪素の含有量は１〜２０重量％の範囲とするのが好ましい。前記範囲未満であると滑り効果が得られにくく、前記範囲を超えると塗膜の強度が低下してくる。より好ましい範囲は５〜１５重量％とすると良い。混入する発泡炭化珪素は灰色であるため、塗料の調色も発泡炭化珪素と同じ灰色に混入前に調色しておく。発泡炭化珪素を混入した後、粒状の発泡炭化珪素の表面に塗料をコーティングするために本発明の塗料を撹拌し、撹拌した本発明の塗料を塗料溶液の揮発を防ぐために塗料容器に入れる。塗料容器については、従来の塗料容器をそのまま使用することができる。【０００８】  次に建築資材に本発明の塗料の表面塗膜を形成させる。塗料容器に入れた本発明の塗料は、発泡炭化珪素を混入してから長期間保存されることが多く、その間に発泡炭化珪素が浮いたり沈殿しているため、建築資材に塗布する前に本発明の容器を再度撹拌する。この２度目の撹拌により、本発明の塗料を建築資材に塗布する作業のために十分な時間、発泡炭化珪素は塗料溶液中で良好な分散状態を保つことができる。撹拌した本発明の塗料は、発泡炭化珪素を混入させたこと以外は従来の塗料と同じであるため、従来の塗料塗布用の刷毛やローラーなどを用いて従来の塗料と同じ方法で本発明の塗料を階段の踏み板などの建築資材に簡単に塗布することができる。また塗料には表面張力があるため、塗膜表面は図１に示すように発泡炭化珪素を包んでコーティングした状態となる。塗膜厚みより発砲炭化珪素の直径が大きくなるように塗膜厚みを設けるのが好ましい。建築資材に塗布した後は、従来の塗料と同じ方法で本発明の塗料を乾燥させることにより、建築資材に本発明の塗料による表面塗膜を形成させる。
「実施形態の効果」【０００９】  この実施形態によれば、本発明の塗料の２度目の撹拌を行った後は、粒状の発泡炭化珪素が塗料溶液中で長時間分散状態を保つため、発泡炭化珪素を建築資材表面に均一に分散させ塗布する作業を、従来の砂や発泡させていない炭化珪素を混入させたときよりも容易にすることができる。本発明の塗料により形成された建築資材の表面塗膜は、図１に示すように発泡炭化珪素の部分で凸形状となるため、塗膜表面が濡れた状態でも靴底などとの摩擦を高く維持することができ、降雨時の屋外の鉄製階段などでの転倒事故を防止することができる。また、発泡炭化珪素は修正モース硬度で、ダイヤモンド、炭化ホウ素に次ぐ硬い物質であるため、シリカゲルや木炭などの従来の混入物を使用した場合と比べて、表面塗膜の凸形状を長期間維持することができる。さらには、発泡炭化珪素と塗料溶液の色を同色の灰色にすることにより、塗膜が薄く発泡炭化珪素の色が塗膜に透けて見える場合であっても、建築美観を損ねることがない。
【図面の簡単な説明】
【００１０】
【図１】本発明の一実施形態の建築資材の断面図である。
【符号の説明】１  建築資材（鉄、タイル、コンクリート、木など）。
２  本発明の塗料による表面塗膜（灰色）。
３  表面塗膜内部にコーティングされた発泡炭化珪素（灰色）。
【図１】
2011162758.tif 000003
(57)【要約】【課題】既設のめっき対象に対しても容易に亜鉛めっきが施せ、また、隙間などにも亜鉛めっきが施せるようにする。【解決手段】亜鉛めっき液１０２は、亜鉛イオンと、亜鉛イオンを還元する微生物とを含む水溶液から構成されている。亜鉛イオンを還元する微生物は、微生物が生命を維持するために行う代謝の過程で、亜鉛イオンを亜鉛に還元する微生物である。亜鉛めっき液１０２を鋼材１１１の所望とする箇所に付着させ、設定された時間の経過させる。【選択図】  図１Ｂ
2011162810.tif 000002
【特許請求の範囲】
【請求項１】
亜鉛イオンと、
亜鉛イオンを還元する微生物と
を含む水溶液から構成されたことを特徴とする亜鉛めっき液。
【請求項２】
亜鉛イオンおよび亜鉛イオンを還元する微生物を含む水溶液から構成された亜鉛めっき液を、めっき対象の表面に接触させる工程と、
前記亜鉛めっき液を接触させた前記めっき対象の表面に亜鉛のめっき膜を形成する工程と
を少なくとも備えることを特徴とする亜鉛めっき方法。
【発明の詳細な説明】
【技術分野】
【０００１】
本発明は、めっき対象物に亜鉛めっきを形成するための亜鉛めっき液および亜鉛めっき方法に関するものである。
【背景技術】
【０００２】
よく知られているように、屋外で使用される鉄鋼には、腐食防止などのために亜鉛めっきを施すことが行われている。このような亜鉛めっきには、主に、溶融亜鉛めっき法および電気亜鉛めっき法がある。溶融亜鉛めっき法では、高温にして溶解した亜鉛融液（溶融亜鉛）にめっき対象とする鋼材を浸漬することで行われている（非特許文献１参照）。また、電気亜鉛めっき法では、亜鉛イオンを含む亜鉛めっき液に対象とする鋼材を浸漬し、この鋼材の電位を亜鉛の還元電位以下として鋼材表面に亜鉛を析出させることで行われている（非特許文献２参照）。
【先行技術文献】
【特許文献】
【０００３】
【特許文献１】特開２００５−２８８２７６号公報
【非特許文献】
【０００４】
【非特許文献１】http://www.aen-mekki.or.jp/mekki/mekki_01.html
【非特許文献２】http://www.wakodenka.co.jp/koutei_denki.html
【発明の概要】
【発明が解決しようとする課題】
【０００５】
しかしながら、上述した亜鉛めっき方法では、建築物の一部に用いられている既設の鋼材などのめっき対象に対し、亜鉛めっきを施すことが容易ではないという問題がある。既設のめっき対象に対し、高温にした溶融亜鉛を用意すること、および電気めっきのために電位を印加することなどは、現実的ではない。また、上述しためっき方法では、隙間部分などにめっきを施すことが容易ではないという問題がある。まず、溶融亜鉛めっき法では、溶融亜鉛の鋼材に対する濡れ性のため、隙間に溶融亜鉛が入り込みにくく、隙間部分にめっきを施すことが容易ではない。また、電気亜鉛めっき法では、よく知られているように、電気化学的な電位分布により影響を受けて、隙間部分にめっきを施すことが容易ではない。
【０００６】
本発明は、以上のような問題点を解消するためになされたものであり、既設のめっき対象に対しても容易に亜鉛めっきが施せ、また、隙間などにも亜鉛めっきが施せるようにすることを目的とする。
【課題を解決するための手段】
【０００７】
本発明に係る亜鉛めっき液は、亜鉛イオンと、亜鉛イオンを還元する微生物とを含む水溶液から構成されている。
【０００８】
また、本発明に係る亜鉛めっき方法は、亜鉛イオンおよび亜鉛イオンを還元する微生物を含む水溶液から構成された亜鉛めっき液を、めっき対象の表面に接触させる工程と、亜鉛めっき液を接触させためっき対象の表面に亜鉛のめっき膜を形成する工程とを少なくとも備える。
【発明の効果】
【０００９】
以上説明したように、本発明によれば、亜鉛めっき液を、亜鉛イオンと、亜鉛イオンを還元する微生物とを含む水溶液から構成したので、既設のめっき対象に対しても容易に亜鉛めっきが施せ、また、隙間などにも亜鉛めっきが施せるようになるという優れた効果が得られる。
【図面の簡単な説明】
【００１０】
【図１Ａ】本発明の実施の形態における亜鉛めっき方法を説明するための説明図である。
【図１Ｂ】本発明の実施の形態における亜鉛めっき方法を説明するための説明図である。
【図１Ｃ】本発明の実施の形態における亜鉛めっき方法を説明するための説明図である。
【発明を実施するための形態】
【００１１】
以下、本発明の実施の形態について図を参照して説明する。以下、亜鉛めっき方法の説明とともに亜鉛めっき液について説明する。
【００１２】
まず、図１Ａに示すように、容器１０１の中に亜鉛めっき液１０２を用意する。亜鉛めっき液１０２は、亜鉛イオン１０３と、亜鉛イオン１０３を還元する微生物１０４とを含む水溶液から構成されている。亜鉛イオンを還元する微生物１０４は、生命を維持するために行う代謝の過程で、亜鉛イオンを亜鉛に還元する微生物であり、例えば、アルコールデハイドロゲナーゼ活性化酵素を有する酵母菌などが挙げられる（特許文献１参照）。
【００１３】
次に、図１Ｂに示すように、例えば、鋼材（めっき対象）１１１の所望とする箇所に、用意した亜鉛めっき液１０２を付着（接触）させる。なお、鋼材１１１のめっき箇所に付着する油分などの汚れがある場合、洗浄などにより除去しておくとよい。この後、設定された時間の経過後、付着している亜鉛めっき液１０２を除去すれば、図１Ｃに示すように、鋼材１１１の所望とする箇所に、亜鉛のめっき膜１１２が形成できる。
【００１４】
上述した本実施の形態によれば、亜鉛めっき液１０２を付着させれば、付着した箇所に亜鉛のめっき膜１１１が形成できるので、まず、既設のめっき対象に対しても容易に亜鉛めっきが施せるようになる。例えば、既設の建築物を構成している柱の鋼材に、亜鉛めっきを施すことができる。また、本実施の形態では、亜鉛めっき液１０２は水溶液であるので、隙間に対して亜鉛めっき液１０２を濡れさせることが容易であり、微生物１０４が入り込める隙間であれば、亜鉛のめっきが可能である。また、めっきにおいては電位を印加する必要がないので、隙間において電位の影響を受けることもない。この結果、本実施の形態によれは、隙間などにも亜鉛めっきが施せるようになる。
【００１５】
なお、本発明は以上に説明した実施の形態に限定されるものではなく、本発明の技術的思想内で、当分野において通常の知識を有する者により、多くの変形が実施可能であることは明白である。例えば、上述ではめっき対象を鋼材としたが、これに限るものではなく、亜鉛より卑である金属であれば、亜鉛のめっきが可能である。また、上述では、めっき対象に亜鉛めっき液を付着させるようにしたが、これに限るものではなく、亜鉛めっき液にめっき対象を浸漬してもよい。
【符号の説明】
【００１６】
１０１…容器、１０２…亜鉛めっき液、１０３…亜鉛イオン、１０４…微生物、１１１…鋼材（めっき対象）、１１２…めっき膜。
【図１Ａ】
2011162810.tif 000003
【図１Ｂ】
2011162810.tif 000004
【図１Ｃ】
2011162810.tif 000005
(57)【要約】【課題】バックルを外したときにズボンのベルトループに通したベルトがずり下がることを防止するベルトを提供する。【解決手段】バックル６側の端部にズボン２のベルトループ３に繋ぎ止められる繋止部材９が設けられる。【選択図】図１
2011162900.tif 000002
【特許請求の範囲】
【請求項１】
バックル側の端部にズボンのベルトループに繋ぎ止められる繋止部材が設けられたことを特徴とするベルト。
【発明の詳細な説明】
【技術分野】
【０００１】
本発明はズボン用のベルトに関する。
【背景技術】
【０００２】
一般的なズボン用のベルトは、帯状のベルト紐をズボンの胴回り部に設けられた複数のベルトループに通し、ベルト紐の一端部をベルト紐の他端部に設けられたバックルに通して固定することで、ズボンの胴回り部を締める。
【先行技術文献】
【特許文献】
【０００３】
【特許文献１】特開２００６−２６５８０８号公報
【発明の概要】
【発明が解決しようとする課題】
【０００４】
ところでこのベルトは、ズボン２を脱ぐ際にバックル６を外したとき、図３のようにバックル６がその重みによって下がり、ズボン２のベルトループ３に通したベルト１のバックル側がずり下がることがある。そして、このようにベルト１がずり下がると、ズボン２のベルトループ３に通したベルト１がベルトループ３から抜け出て、次にズボン２を穿く際にベルト１をベルトループ３に通す必要があり、手間を要する。
【０００５】
本発明は上記事情に鑑みてなされたものであって、バックルを外したときにズボンのベルトループに通したベルトがずり下がることを防止するベルトを提供することを課題とする。
【課題を解決するための手段】
【０００６】
上記課題を解決するために本発明のベルトは、バックル６側の端部にズボン２のベルトループ３に繋ぎ止められる繋止部材９が設けられることを特徴とする。この構成を有するベルト１は、着用時に繋止部材９をズボン２のベルトループ３に繋ぎ止めることができる。このため用を足すためにズボン２を脱ぐ際等にバックル６を外したとき、バックル６の重みでベルト１のバックル６側がずり下がることを防止できる。
【発明の効果】
【０００７】
本発明にあっては、着用時に繋止部材をズボンのベルトループに繋ぎ止めることができ、これによりバックルを外したときに、バックルの重みでベルトのバックル側がずり下がることを防止し、ズボンのベルトループに通したベルトがベルトループから抜け出ることを防ぐことができる。
【図面の簡単な説明】
【０００８】
【図１】本発明の実施形態の一例のベルトを装着した状態を示す正面図である。
【図２】同上のベルトの要部を拡大した正面図である。
【図３】従来のベルトがずり下がった様子を示す斜視図である。
【発明を実施するための形態】
【０００９】
以下、本発明を添付図面に基づいて説明する。図１及び図２に示される本実施形態のベルト１は、一般的なズボン用のベルトと同様、帯状のベルト紐５と、ベルト紐５の一端部に設けられるバックル６とを備えている。
【００１０】
ベルト紐５は革製であり、ベルト紐５のバックル６側の端部には、帯状のベルト通し７が設けられている。ベルト通し７はベルト紐５と同じく革製であって、その両端部がベルト紐５の幅方向の両端部の夫々に縫い付けられている。ベルト通し７の裏面とベルト紐５の表面との間にはベルト紐５を通すための通し孔が形成されている。
【００１１】
ベルト通し７には、ズボン２の胴回り部の外側に複数設けられたベルトループ３に繋ぎ止められる繋止部材９が設けられている。繋止部材９はベルト通し７と同じく革製であって、帯状に形成されている。繋止部材９は長手方向の一端部がベルト通し７の裏面に縫い付けられ、ベルト通し７からベルト紐５の長手方向に沿ってバックル６と反対側に突出している。ベルト通し７の表面において前記繋止部材９の一端部が取り付けられた部分に対応する部分と、繋止部材９のベルト通し７と反対側の端部とは、雌雄のホック１１、１２を取り付けてなるスナップファスナー式の連結手段にて連結可能となっている。図示例では、ベルト通し７に雌ホック１１が設けられると共に繋止部材９に雌ホック１１に着脱自在に嵌合する雄ホック１２が設けられている。
【００１２】
バックル６は金属製であり、ベルト紐５のバックル６に通された部分を無段階的に締め付けるものであってもよいし、また図示は省略するがバックルピンをベルト紐５のバックル６と反対側に設けた複数のピン孔のうちの任意のピン孔に挿通する等して段階的にベルト紐５の端部に取り付けられるものであってもよい。
【００１３】
ベルト１を用いてズボン２の胴回り部を締めるには、一般的なベルトと同様に、ベルト紐５をズボン２の胴回り部の外側に複数設けられたベルトループ３に通し、ベルト紐５の端部を反対側の端部に設けられたバックル６に摺動可能に通し、該ベルト紐５のバックル６に通された部分をバックル６に固定する。また、ベルト紐５のバックル６からベルト通し７側に引き出された余剰部分は、ベルト通し７に通された後、ベルトループ３に通されてズボン２の胴回り部に沿わせられる。
【００１４】
前記ベルト１装着後は、繋止部材９をズボン２のバックル６のすぐ横にあるベルトループ３に繋ぎ止める。これは、ベルト通し７に、雄ホック１２を雌ホック１１から外した状態にある繋止部材９をベルト通し７の裏面側から掛け回し、該繋止部材９のベルト通し７で折り返された先端部にある雄ホック１２をベルト１の雌ホック１１に嵌合することで行う。
【００１５】
このようにベルト１の繋止部材９をズボン２のベルトループ３に通して繋ぎ止めることで、バックル６を外したとき、バックル６の重みでベルト１のバックル６側がずり下がることを防止でき、ズボン２を脱ぐ際にズボン２のベルトループ３に通したベルト１がベルトループ３から抜け出ることを防ぐことができる。なおズボン２に繋ぎ止められたベルト１をズボン２から外すには、雄ホック１２を雌ホック１１から外し、ループ状の繋止部材９を開放してベルトループ３から繋止部材９を外せばよい。
【００１６】
なお本実施形態では、ベルト通し７に雌のホック１１を設けると共に繋止部材９に雄のホック１２を設けたが、ベルト通し７に雄のホックが設けると共に繋止部材９に雌のホックを設けてもよく、またスナップファスナー以外の他の手段により繋止部材９の端部をベルト通し７に着脱自在に取り付けられるようにしてもよい。また繋止部材９はベルト通し７に縫い付けることでベルト通し７に一体的に設けたが、ベルト通し７に対して着脱自在に取り付けてもかまわない。前者の場合は繋止部材９を紛失し難い利点があり、後者の場合は他のベルトにも利用できて汎用性が高い。また繋止部材９はベルト通し７に設けたが、ベルト紐５に設けてもよい。またベルト紐５、ベルト通し７、及び繋止部材９を革製としたが、これらは布製であってもよく、また繋止部材９を材質をベルト紐５やベルト通し７と異なるものとしてもよい。さらに繋止部材９は線状の紐であっても構わない。
【符号の説明】
【００１７】
１  ベルト
２  ズボン
３  ベルトループ
６  バックル
９  繋止部材
【図１】
2011162900.tif 000003
【図２】
2011162900.tif 000004
【図３】
2011162900.tif 000005
(57)【要約】【課題】車両は旋回時  外側にＧを感じ体に負担を与える  又タイヤにも  負担を与え  タイヤの消耗も早くなっていた【解決手段】旋回時の車両の外側を持ち上げ  なおかつロアア−ムを伸ばし車両の状態を  平行に保つ【選択図】図１
2011162175.tif 000002
【特許請求の範囲】
【請求項１】
車高可変システムと可変ロアア−ムシステムを用い  横Ｇを低減させる車体とサスペンション
【請求項２】
前記のサスペンションは、横転防止にも効果有り
【発明の詳細な説明】
【技術分野】
【０００１】  この発明は  車両等に用いる  サスペンションに関するものである
【背景技術】
【０００２】  従来の  サスペンションは、横Ｇを感じるのでカ−ブを曲がる時、どうしても不安を感じ  又  コ−ナリングを良くする為  扁平率の低い高価なタイヤを使用しなければならない  又ダウンフォ−スで車両を押しつけ安定性を計るため乗員にかなりの負担をあたえていた
【先行技術文献】
【特許文献】
【０００３】  特開２００７−２３０７７２公報
【発明の概要】
【０００４】
【発明が解決しようとする課題】
【０００５】  この発明では  ロ−ル挙動を乗員が受ける問題のみで、タイヤに受ける  入角度やダンパの減衰度など  乗り心地などは、考えておらず又  現在の自動車の形では使用出来ない為  かなりの車両の金額が必要である
【問題解決の手段】
【０００６】  現在の技術は  カ−ブ時に外側のダンパ−を硬くすることや伸縮することのみで  しかしその発明では  転倒を抑止出来ない  それは  電車などの車両に乗っている時倒れるのを  防止するため  足を広げる  そこでこの発明は    車両の足を広げ横転を防止する物である
【発明の効果】
【発明を実施する形態】
【実施例】
【０００７】第一発明
従来技術は  ア−ムなどは伸びる事が無く  傾斜度がちいさいのでア−ムを可動式とすると傾斜度を大きくするもので  カ−ブが曲がりやすい。
第二発明
車高調整  コ−ナリング時  外側のサスペンションを定位置より伸ばす
第三発明
第一発明と第二発明を合わせて、安定装置となる。
【図面の簡単な説明】
【図１】  この発明の  実施形態を係わるシャ−シの図である
【図２】  この発明の  実施形態を係わるシャ−シの底面の図である
【図３】  この発明の  実施形態を係わるシャ−シの底面の図  ２である
【図４】  従来技術を示す透視図である
【符号の説明】〔Ａ〕パワ−ステアリング本体
〔Ｂ〕車高調整  シリンダ−
〔Ｃ〕スライド  ロアア−ム
〔Ｄ〕ロアア−ム  移動ラックマウント
〔Ｅ〕ラック  アンド  ピニオンギア
〔Ｆ〕パワ−ステアリング  半連動ピニオンギヤ
【図１】
2011162175.tif 000003
【図２】
2011162175.tif 000004
【図３】
2011162175.tif 000005
【図４】
2011162175.tif 000006